(57)【要約】    【課題】  除湿機は樹脂製ハンドル補強の為に回動部、握り部に別々の補強部材を用いていたので、その取付けが難しかったことは勿論、ハンドル自体が大型化する課題があった。    【解決手段】  除湿機の上面を構成する箱体に回動自在に設けられたハンドルを、樹脂材で作られた上面ハンドル体と下面ハンドル体とで外郭を構成すると共に、上記下面ハンドル体を薄板鉄板等の補強部材で形成したものである。    【選択図】  図６
2006263633.tif 000002
【特許請求の範囲】
【請求項１】
除湿機の上面を構成する箱体に回動自在に設けられたハンドルを、樹脂材で作られた上面ハンドル体と下面ハンドル体とで外郭を構成し、前記下面ハンドル体を薄板鉄板により形成した除湿機。
【請求項２】
請求項１において、運転時には除湿機の上面で且つ横幅一杯に形成された矩形状空気吐出口の３辺外周に位置し、運搬時前記空気吹出口の上方に位置するように前記ハンドルの両端を除湿機の外郭を形成する箱体軸受に軸着した除湿機。
【請求項３】
請求項１において、前記下面ハンドル体を構成する補強部材はハンドル回動部の補強部材とハンドル握り部の補強部材を兼ねているものである除湿機。
【請求項４】
請求項１において、前記下面ハンドルは前記上面ハンドルにネジ止めで固定した除湿機。
【請求項５】
請求項１において、前記下面ハンドルの端面は前記上面ハンドルで外周が覆われているものである除湿機。
【発明の詳細な説明】
【技術分野】
【０００１】
本発明は、冷凍サイクルをもって室内の湿度を適湿に保持する機能を備えた除湿機に関するものである。
【背景技術】
【０００２】
一般に市販されている除湿機は質量が５ｋｇ〜１５ｋｇと家庭の主婦が室内を持ち運ぶのには少し重い製品であった。
【０００３】
この為上記除湿機には、持ち運びを容易にする為の把手（ハンドル）が設けられている。
【０００４】
これを図８〜図９に於いて説明する。
【０００５】
図８は従来構造を有する除湿機の斜視図であり、図９は図８の縦断面図である。
【０００６】
図に於いて、３１は除湿機本体であり、質量が５ｋｇ〜１５ｋｇ程度を有している。
【０００７】
３２、３３は上記除湿機の外殻を形成する前箱体３２と後箱体３３である。これらは何れも射出成形等で作られている為樹脂で構成されている。
【０００８】
３４は上記除湿機本体を移動する時に使用するハンドル（把手）である。このハンドル３４の詳細は後述するものとし、除湿機本体３１の概略構造を図９を用いて説明する。３５は蒸発器であり３６は凝縮器である。これらは図には示してないが圧縮機、減圧器（キャピラリチューブ）を伴なって冷凍サイクルを構成している。
【０００９】
３７は送風機である。通常、この除湿機の除湿運転は室内空気が矢印Ｑに示す如く蒸発器３５、凝縮器３６、送風機３７を通り吹出口３８を経由して室外に吹き出されていく。この過程に於いて、室内空気中の水分は蒸発器３５に結露し、水滴となり落下し、貯水タンク３９に溜められるものである。
【００１０】
即ち、ここで云う除湿機は５℃前後に冷却された蒸発器３５に室内の湿度を含んだ例えば３０℃の空気を接触させることにより、上記室内空気を露点温度以下とし、空気中の水分を蒸発器３５に結露させ湿度を取ると伴に凝縮器３６で冷却された室内空気を、室内とほぼ同じ温度にまで暖め、再び室内に戻す機能を有している。
【００１１】
次に上記したハンドル３４に付いて説明する。このハンドル３４に関しては、特許文献１に記載されているが、一般的には先にも記述した如く、５ｋｇ〜１５ｋｇの質量をもつ除湿機の移動時に使われるもので、除湿機運転時（通常時）には、図８に示す凹部４０内に倒されており、運搬時除湿機本体３１より飛び出し、手の指が掛けやすくなるよう構成されている。
【００１２】
又、このハンドル３４は、前箱体３２、後箱体３３の外観意匠に合せ、外殻は合成樹脂で作られている。更にこのハンドル３４は図には示してないが、使用時と非使用時とでは位置が異なる回転方式を通常採用している。
【００１３】
この時にあって、ハンドル３４が樹脂製であることより回動軸部及び握り部に負担がかかると先の５ｋｇ〜１５ｋｇの質量に耐えられないと云う問題が出てくる。
【００１４】
従って、この部分即ち回動軸部に軸部補強部材を、又握り部にも本体補強部材を使うことが常套手段であった。勿論上記回動軸部３４ｂ、握り部３４ａの補強部材ともハンドル３４内にサンドイッチされる形で取付けられている。
【００１５】
更に上記合成樹脂で筒状に作られたハンドルは、通常２部品を合せ、断面形状を丸、矩形等の筒状とするものである為に、この２部品の固定には、上記ハンドル２部品と一体に作られる係合爪の嵌合により行なわれるのが普通であった。
【００１６】
更には、上記ハンドル３４の握り部３４ａの幅が１５０ｍｍ以下に作られるのが一般的であった為、室内移動時には、例えば主婦の右手或いは左手の一方しか掛けられない寸法に作られていた。
【００１７】
【特許文献１】特開平１０−２７４４２６号公報
【発明の開示】
【発明が解決しようとする課題】
【００１８】
従来、製品重量が５ｋｇ〜１５ｋｇある除湿機の樹脂製ハンドルは、その重みに耐える為に、ハンドル回動部を補強する為の補強部材及びハンドルの握り部を補強する補強部材をそれぞれに必要としていた。上記二つの補強部材を樹脂製ハンドルで固定するには複雑な固定構造を必要とすることは勿論、二つの補強部材に分かれていたのでその固定構造も更に難しいものであった。
【００１９】
又、上記ハンドル本体は二つの補強部材を樹脂製ハンドル内に納める必要がある為に該ハンドル本体が大型化する傾向にあった。
【００２０】
即ち、除湿機用ハンドルは、除湿機使用時には除湿機本体を構成する箱体内に納め、除湿機の持ち運び時等に起して、手の指がかかれば良いものであったが、補強部材固定の為にハンドルの厚み等を厚くすると凹部内に収納しきれず外観意匠を低下させてしまうと云う課題もあった。
【００２１】
更に補強部材を内蔵させるハンドル本体を樹脂製の上下ハンドルピースで作ったものにあっては、両者を結合するのに上記ハンドルピースと一体に形成した爪を利用していたのでハンドルサービス時、上記爪を折ってしまい、サービス性が悪いと云う課題があった。
【００２２】
更に従来のハンドル３４の握り部３４ａは通常１５０ｍｍ前後に作られているので、重いからといって、左右の手を同時にこのハンドル部にかけることが出来ないので使用者は重いのを我慢して片手で運搬しなければならないと云う課題があった。
【００２３】
本発明の目的は、樹脂製ハンドル補強の為に回動部、握り部に別々の補強部材を用いることなく、ハンドル自体が大型化することなく、取付けを可能とした除湿機を提供することにある。
【００２４】
更にはハンドルのサービス性、ハンドルが小さいことによる運搬性等の課題を解決することにある。
【課題を解決するための手段】
【００２５】
上記目的は、除湿機の上面を構成する箱体に回動自在に設けられたハンドルを、樹脂材で作られた上面ハンドル体と下面ハンドル体とで外郭を構成し、前記下面ハンドル体を薄板鉄板により形成することにより達成される。
【００２６】
特に、運転時には除湿機の上面で且つ横幅一杯に形成された矩形状空気吐出口の３辺外周に位置し、運搬時前記空気吹出口の上方に位置するように前記ハンドルの両端を除湿機の外郭を形成する箱体軸受に軸着したものである。
【００２７】
さらには、前記下面ハンドル体を構成する補強部材はハンドル回動部の補強部材とハンドル握り部の補強部材を兼ねるようにした。
【００２８】
また、前記下面ハンドルは前記上面ハンドルにネジ止めで固定したものである。
【００２９】
さらに、前記下面ハンドルの端面は前記上面ハンドルで外周が覆われているものである。
【発明の効果】
【００３０】
本発明によれば、樹脂製ハンドル補強の為に回動部、握り部に別々の補強部材を用いることなく、ハンドル自体が大型化することなく、取付けを可能とした除湿機を提供することができる。
【００３１】
更にはハンドルのサービス性、ハンドルが小さいことによる運搬性等の課題を解決することができる。
【発明を実施するための最良の形態】
【００３２】
以下本発明の実施の形態を図１〜図７にて説明する。
【００３３】
図１は本発明の１実施例にかかる除湿機の側断面図であり、図２のＡ−Ａ断面である。図２は除湿機の正面図であり、図３は図１の上面図であり、図４は図３のＢ−Ｂ拡大断面図であり、図５は図３のＣ−Ｃ断面図であり、図６は本発明の補強部材の要部詳細を示す斜視図であり、図７は図６を矢印Ｐ方向から見た要部詳細斜視図である。
【００３４】
先ず図１、図２に於いて、１は除湿機本体である。２は除湿機本体の外殻を構成する箱体である。この箱体２は前箱体３と後箱体４とで構成され、箱体２の上部には空気吹出口５が形成され、後箱体４には空気吸込口６が形成されている。
【００３５】
即ち図２で説明する除湿通路を通過した除湿空気が先の空気吹出口５より室内に吹出されるものである。又上記除湿通路に室内空気を取り入れるのが空気吸込口６である。７はフィルターであり除湿通路に吸込まれる空気中のチリやホコリを吸着する。８は運転操作部であり、運転のＯＮ／ＯＦＦスイッチや発光ダイオードで運転状態を表示する部分である。この運転操作部８が設けられた面が除湿機本体１の正面となる。９は除湿された除湿水を貯溜するためのタンクである。このタンク９は除湿機本体１の前面方向に引出して、取り外し、排水できるようになっている。又、このタンク９の内部には図示してないが除湿水が満水になると除湿運転を停止させるフロート機構が備えられている。
【００３６】
通常、このタンク９内の除湿水の量が確認出来るよう前箱体３の正面には水位窓が設けられている。
【００３７】
図１に於いて１０は圧縮機であり、後述する蒸発器、凝縮器とは接続され、一連の冷凍サイクルを構成している。この圧縮機１０はタンク９の後方に位置して設けられている。１１は箱体２の内部を機械室と熱交換器室とに分離する為の仕切板であり、機械室と熱交換器室とを熱的に隔離するものである。
【００３８】
上記圧縮機１０は機械室内に位置する。１２は上記熱交換器室に設けられた蒸発器であり、先に説明したフィルター７の内方に取付けられている。凝縮器１３は蒸発器１２の内方（風の下流側）に設けられている。
【００３９】
これらの蒸発器１２、凝縮器１３は前述したように前記圧縮機に接続され、冷凍サイクルを構成している。
【００４０】
この冷凍サイクルの動作を説明すると、圧縮機１０にて圧縮された高温高圧ガス冷媒は、凝縮器１３で放熱され気液混合の冷媒となる。凝縮器１３を通過した冷媒は図には示してないが減圧器（キャピラリチューブ）を通過することによって減圧され、低温の冷媒となって蒸発器１２に入る。蒸発器１２では液冷媒が蒸発することによって室内空気と熱交換し、室内空気が冷却される。このとき室内空気中の水分が蒸発器１２に付着することによって除湿される。
【００４１】
１４はファンモータである。このファンモータ１４は凝縮器１３前方に取付けられている。
【００４２】
１５は、ファンモータ１４に取付けられたファンである。このファン１５がファンモータ１４によって回転すると、室内空気が矢印Ｃの方向から空気吸込口６に吸引され、蒸発器１２、凝縮器１３を通過して、除湿通路を通って空気吹出口５から除湿空気が矢印Ａ方向に吐出される。
【００４３】
以上の構成及び機能を有する除湿機本体１は必要に応じ室から室へと移動される。ところが、上記除湿機本体１は質量が５ｋｇ〜１５ｋｇと重いので持ち運び時、持つ所がないと使用者にとって移動が難かしい。
【００４４】
これを助けるのがハンドル１７である。以下図３〜図７をもってハンドル１７について説明する。先ず図３に於いて、１は除湿機本体。尚、この除湿機本体１は横幅が３５０ｍｍ〜４５０ｍｍで奥行きが２５０ｍｍ〜３５０ｍｍ、そして高さが４００〜６００ｍｍ位のものである。５は空気吹出口、８は運転操作部、１７はハンドルである。このハンドル１７は図からも判るように除湿機本体１の上面に設けられ、使用者が該除湿機本体１を室から室へと移動する時には、両手が掛けられるよう除湿機本体１の幅一杯の長さに形成されている。換言すると除湿機上面幅一杯に設けられた空気吹出口５の外周３辺にまたがって設けられている。
【００４５】
この為ハンドル１７の握り部１７ａは運搬時両手が楽々掛けられる長さとされている。又、上記ハンドル１７は全体形状が略コ字状をしており、両端が軸２０に係止され、除湿機運転時には空気吹出口５の外周に位置し、運搬時には空気吹出口５の上方に位置するよう構成しているのでハンドルの握り部１７ａを大きくしても除湿機運転時に邪魔になることがない。
【００４６】
即ち、持ち運び時には９０度まで空気吹出口５の上方に位置するよう起こされる構成をとっている。
【００４７】
次に図４から図５で以って上記ハンドル１７の詳細構造を説明すると、先ず図４に於いて１７はハンドル。このハンドル１７は表面化粧部を構成する上面ハンドル体１８と下面ハンドル体１９より構成されている。そして、上面のハンドル体１８は射出成形機で成形されたものを使っている。換言すると、合成樹脂材で形成されている。
【００４８】
又、下面ハンドル体１９は薄板鉄板をプレス等して作ったもので、使用者が手で触れる側は塗装された面としてある。又この下面ハンドル体１９の折り曲げ端部は全て上記上面ハンドル体１８で覆われており、使用者に怪我等を与えない構造となっている。
【００４９】
このように下面ハンドル体１９を鉄板で作ってしまうことにより、該ハンドル１７を９０度起す回動軸部１７ｂの補強と実際に使用者に持たれる握り部１７ａの補強部材を兼用することができるものである。その上、この薄板鉄板製の下面ハンドル体１９と上面ハンドル体１８の組み付けはネジ等で使って、簡単に行なうことが出来るようになるものである。
【００５０】
このことにより上記ハンドル１７は従来に比較し、持ち運びに支障のないところまで薄く出来るものである。
【００５１】
２０は、該ハンドル１７を回動自在にする軸である。この軸２０は図２、図４に示す如く、後箱体４に一体に設けられた軸受２１（第２の補強部材２２で補強されている軸受）と下面ハンドル体１９（薄板鉄板をプレス等して作った下面ハンドル体１９）の孔に図に示す如く差し込まれている。
【００５２】
又、この軸２０は、内部中空の円筒状パイプで本体長手方向全長にスリットを有し、ある程度バネ性を有するもので軸２０の径と各部材の孔径を合せておけば一旦孔に差し込まれると、該孔からは簡単には抜けないものであるが、上面ハンドル体１８が上記軸２０の動き防止のストッパーとなり抜け止めを阻止する。
【００５３】
次に図５を用いて上記ハンドル１７の使用状態を中心に説明する。図中４は除湿機本体１の箱体２を構成する後箱体。１７はハンドル。１８は上面ハンドル体であり、１９は下面ハンドル体であり、２０は軸である。
【００５４】
尚、図中２３は上面ハンドル体側に設けられた取付用ボスであり、２４は上面ハンドル体１８に下面ハンドル体１９をネジ止めする為のネジである。このネジは複数本使われるが、ネジ２４を取り外せば、該上面ハンドル体１８と、下面ハンドル体１９は容易に分離させることが出来る。２５はハンドル１７に手を掛けやすくする為に後箱体４側に形成された凹部である。
【００５５】
即ち上記ハンドル１７を持って、除湿機本体１を室から室へと移動する時、或いは室内で異なる場所に移動する時には、先ず凹部２５を利用し、ハンドル１７に指を掛け、ハンドル１７を一点鎖線の如く約９０度起した後、一点鎖線で示す如く指をかけ軸２０を中心にハンドル１７を回動させ、握り部１７ａに片手或いは両手を掛け除湿機本体１を上に持ちあげるようにして移動させる。
【００５６】
一方、持ち運び後は図５にも示す如く空気吹出口５を作る立上り壁５ａの外周側に倒し、後箱体４の形状の外観を損なわないようにしておくものである。
【００５７】
この時にあって、上記ハンドル１７は断面形状略三角形としているので立上り壁５ａと後箱体４の稜線４ａを傾斜面で結ぶことが出来るものである。
【００５８】
次に図６、図７に於いて、薄板鉄板で作られた下面ハンドル体１９（補強部材を兼ねたもの）に付いて説明する。
【００５９】
図に於いて、４は後箱体、１９は下面ハンドル体、２１は後箱体と一体に形成された軸受、２２は第２の補強部材である。上記軸受２１は下面ハンドル体１９を図に示す如く隆起させ作られておりこの隆起した所に取付孔２１ａを形成している。この取付孔２１ａの径とほぼ同じ径の孔２２ｂをもった第２の補強部材２２の立上り片２２ａが図の如く重ねるよう設けられている。
【００６０】
１９ａは下面ハンドル体１９（補強部材）の両端に設けられた補強部。この補強部１９ａに設けられた孔１９ｂは取付孔２１ａの外側に重ね合うように設けられている。
【００６１】
尚、上記補強部１９ａに設けられた孔１９ｂが取付孔２１ａの大きさに設定されている。換言すると上記取付孔２１ａの両側に設けられた補強部１９ａに設けられた孔１９ｂ、立上り片２２ａに設けた孔２２ｂを貫通しハンドル１７を軸受２１に軸着するよう軸２０が設けられているものである。（図４の如く）
このことによりハンドル１７が箱体２に対し、回動自在に設けられているものである。
【００６２】
本発明は以上説明した如く、除湿機の上面を構成する箱体に回動自在に設けられたハンドルを、樹脂材で作られた上面ハンドル体と下面ハンドル体とで外郭を構成すると共に、上記下面ハンドル体を薄板鉄板等の補強部材で形成したものであるから、軸部、握り部に特別の補強部材を設けなくて済むことは勿論、ハンドル修理時も簡単にネジ等を外せば行なえるものである。このことにより薄型ハンドルとなり例えば除湿機本体側に作られる凹部内収納も容易となり、外観意匠を崩すことがなくなるものである。
【００６３】
又、運転時には除湿機の上面で且つ横幅一杯に形成された矩形状空気吐出口の３辺外周に位置し、運搬時上記空気吹出口の上方に位置するようにハンドルの両端を除湿機の外郭を形成する箱体軸受に軸着したものであるから、ハンドルの大きさを大きくすることが出来、使用者は両手をハンドルに掛けることが出来、除湿機の移動を簡単に行なうことが出来るものである。
【００６４】
又、下面ハンドル体を構成する補強部材はハンドル回動部の補強部材とハンドル握り部の補強部材を兼ねているものであるから、この下面ハンドル体を上面ハンドル体に組み付けるだけで回動部と握り部の補強が出来てしまうものである。
【００６５】
又、下面ハンドルは上面ハンドルにネジ止め等で固定したものであるから、従来の合成樹脂爪係合による固着に比較し、組み付け解体を容易にすることが出来るものである。
【００６６】
更に、下面ハンドルの端面は上面ハンドルで外周が覆われているようにしたものであるから、薄板鉄板を使っても、使用者が薄板鉄板の端面で怪我する等と云うことがないものである。
【図面の簡単な説明】
【００６７】
【図１】本発明の一実施例に係る除湿機の側断面図である。
【図２】本発明の一実施例に係る除湿機の正面図である。
【図３】図１の上面図である。
【図４】図３のＢ−Ｂ拡大断面図である。
【図５】図３のＣ−Ｃ拡大断面図である。
【図６】本発明の補強部材の要部詳細を示す斜視図である。
【図７】図６を矢印方向から見た要部詳細斜視図である。
【図８】従来構造を示す除湿機の斜視図である。
【図９】図８の縦断面図である。
【符号の説明】
【００６８】
１…除湿機本体、２…箱体、３…前箱体、４…後箱体、４ａ…綾線、５…空気吹出口、５ａ…立上り壁、６…空気吸込口、７…フィルター、８…運転操作部、９…タンク、１０…圧縮機、１１…仕切板、１２…蒸発器、１３…凝縮器、１４…ファンモータ、１５…ファン、１６…モータ支え、１７…ハンドル、１７ａ…握り部、１７ｂ…回動部、１７ｃ…傾斜面、１８…上面ハンドル体、１９…下面ハンドル体、１９ａ…補強部、１９ｂ…孔、２０…軸、２１…軸受、２１ａ…取付孔、２２…第２の補強部材、２２ａ…立上り片、２２ｂ…孔、２３…ボス、２４…ネジ、２５…凹部（ハンドルの手掛け用）。
【図１】
2006263633.tif 000003
【図２】
2006263633.tif 000004
【図３】
2006263633.tif 000005
【図４】
2006263633.tif 000006
【図５】
2006263633.tif 000007
【図６】
2006263633.tif 000008
【図７】
2006263633.tif 000009
【図８】
2006263633.tif 000010
【図９】
2006263633.tif 000011